(57)【要約】【課題】画像を外部装置に送信する際、プライバシーの保護を確実としてしかもコストおよび処理時間の増大を防止する。【解決手段】ＣＰＵ１１１は撮影の結果得られた画像がプライバシー保護を必要とする可能性があると判定された場合に、その旨を表示制御部１１５によってＬＣＤパネル１１６に表示するとともに、外部装置に画像を送信するか否かを設定する。ＣＰＵはプライバシー保護が必要無い場合、また画像を外部装置に送信すると設定された場合、通信部１０７によって画像を外部装置に送信する。【選択図】図３
2014204273.tif 000002
【特許請求の範囲】
【請求項１】
被写体を撮影して得られた画像を記録するとともに、当該画像を外部装置に送信する画像記録装置であって、
前記撮影の結果得られた画像の属性を検出する検出手段と、
前記検出手段によって検出された属性が所定の公開許可リストに含まれるか否かを判定する判定手段と、
前記判定手段によって前記検出された属性が前記公開許可リストに含まれないと判定されると、その旨を示す報知情報を報知する報知手段と、
前記判定手段によって前記検出された属性が前記公開許可リストに含まれないと判定されれば、前記撮影の結果得られた画像を前記外部装置に送信するか否かを設定する設定手段と、
前記判定手段によって前記検出された属性が前記公開許可リストに含まれると判定された場合又は前記設定手段によって前記画像を前記外部装置に送信すると設定された場合に、前記画像を前記外部装置に送信するよう制御する送信制御手段と、
を有することを特徴とする画像記録装置。
【請求項２】
前記報知手段は、前記撮影の終了指示を受けたタイミングで、前記報知を実行することを特徴とする請求項１に記載の画像記録装置。
【請求項３】
前記報知手段は前記報知情報とともに前記画像の前記外部装置への送信を行うか否かを設定するための設定画面を表示部に表示することを特徴とする請求項１又は２に記載の画像記録装置。
【請求項４】
前記検出手段は、前記属性として前記画像の顔領域を検出することを特徴とする請求項１〜３のいずれか１項に記載の画像記録装置。
【請求項５】
前記検出手段は、前記属性として前記画像の撮影時の前記画像記録装置の位置を検出することを特徴とする請求項１〜３のいずれか１項に記載の画像記録装置。
【請求項６】
前記検出手段は、前記属性として前記画像の文字情報を検出することを特徴とする請求項１〜３のいずれか１項に記載の画像記録装置。
【請求項７】
前記画像に付随して音が録音されており、
前記検出手段は、前記属性として前記画像に付随する音声を検出することを特徴とする請求項１〜３のいずれか１項に記載の画像記録装置。
【請求項８】
被写体を撮影して得られた画像を記録するとともに、当該画像を外部装置に送信する画像記録装置の制御方法であって、
前記撮影の結果得られた画像の属性を検出する検出ステップと、
前記検出ステップで検出された属性が所定の公開許可リストに含まれるか否かを判定する判定ステップと、
前記判定ステップで前記検出された属性が前記公開許可リストに含まれないと判定されると、その旨を示す報知情報を報知する報知ステップと、
前記判定ステップで前記検出された属性が前記公開許可リストに含まれないと判定されれば、前記撮影の結果得られた画像を前記外部装置に送信するか否かを設定する設定ステップと、
前記判定ステップで前記検出された属性が前記公開許可リストに含まれると判定された場合又は前記設定ステップで前記画像を前記外部装置に送信すると設定された場合に、前記画像を前記外部装置に送信するよう制御する送信制御ステップと、
を有することを特徴とする制御方法。
【請求項９】
被写体を撮影して得られた画像を記録するとともに、当該画像を外部装置に送信する画像記録装置で用いられる制御プログラムであって、
前記画像記録装置が備えるコンピュータに、
前記撮影の結果得られた画像の属性を検出する検出ステップと、
前記検出ステップで検出された属性が所定の公開許可リストに含まれるか否かを判定する判定ステップと、
前記判定ステップで前記検出された属性が前記公開許可リストに含まれないと判定されると、その旨を示す報知情報を報知する報知ステップと、
前記判定ステップで前記検出された属性が前記公開許可リストに含まれないと判定されれば、前記撮影の結果得られた画像を前記外部装置に送信するか否かを設定する設定ステップと、
前記判定ステップで前記検出された属性が前記公開許可リストに含まれると判定された場合又は前記設定ステップで前記画像を前記外部装置に送信すると設定された場合に、前記画像を前記外部装置にするよう制御する送信制御ステップと、
を実行させることを特徴とする制御プログラム。
【発明の詳細な説明】
【技術分野】
【０００１】
本発明は、画像記録装置、その制御方法、および制御プログラムに関し、特に、プライバシーの保護を考慮して撮影の結果得られた画像を記録し、そして、当該画像を外部装置にアップロードする際の設定を行う画像記録装置に関する。
【背景技術】
【０００２】
近年、スマートフォンおよびネットワーク接続対応の携帯機器（以下携帯端末と総称する）が普及しており、一般に、これら携帯端末には画像を撮影機能が備えられている。そして、携帯端末で撮影した動画又は静止画をＷＥＢ上で共有するサービスが存在する。
【０００３】
この種の携帯端末においては、サーバに対するアクセスを容易にする機能が備えられており、この機能によって予めアクセス設定をしておけば、自動でサーバと同期することができる。
【０００４】
なお、サーバ上では不特定多数の人物が画像を閲覧可能であるので、プライバシーを考慮する必要がある。このため、サービスによっては閲覧可能なユーザを特定することができる公開範囲設定という機能が備えられている。
【０００５】
ところが、公開範囲設定は、サーバに画像などをアップロードする際に行うので、アップロードする画像がプライバシーを含む画像であるか否かを、アップロード前に再生して確認する必要がある。加えて、プライバシーを含む画像であることを見逃してしまい、閲覧可能なユーザを限定すべきであるコンテンツ（画像など）であるにも拘わらず、全のユーザにコンテンツが公開されてしまうこともある。
【０００６】
一方、プライバシーを考慮して、撮影の結果得られた画像にモザイク処理をする手法がある（特許文献１参照）。ここでは、プライバシーを保護するため、撮影の結果得られた画像の顔領域に対して、例えば、モザイク処理を施して加工画像を生成する。そして、この加工画像と顔領域の位置および大きさ並びに加工処理の内容を特定する復元用情報と、当該復元用情報に応じて加工画像から元の画像を復元して表示することを許可／禁止する権限管理情報とを互いに関連付けて画像ファイルに格納するようにしている。画像ファイルがサーバにアップロードされると、サーバは閲覧者から画像の送信要求があった際には、権限管理情報に応じて閲覧者に元の画像を送信するか否かを判断する。
【先行技術文献】
【特許文献】
【０００７】
【特許文献１】特開２００９−３３７３８号公報
【発明の概要】
【発明が解決しようとする課題】
【０００８】
しかしながら、特許文献１に記載の手法では、携帯端末に備えられた画像記録装置が撮影の結果得られた撮影画像にモザイク処理などの加工処理を行う機能を備える必要がある。このため、画像記録装置がコストアップしてしまうことになる。
【０００９】
さらに、動画像についてモザイク処理などの加工処理を行うためには、フレーム毎に加工処理を行わなければならないこともある。このため、コスト面ばかりでなく処理時間が増大してしまうという課題もある。
【００１０】
従って、本発明の目的は、プライバシーの保護を確実としてしかもコストおよび処理時間が増大することのない画像記録装置、その制御方法、および制御プログラムを提供することにある。
【課題を解決するための手段】
【００１１】
上記の目的を達成するため、本発明による画像記録装置は、被写体を撮影して得られた画像を記録するとともに、当該画像を外部装置に送信する画像記録装置であって、前記撮影の結果得られた画像の属性を検出する検出手段と、前記検出手段によって検出された属性が所定の公開許可リストに含まれるか否かを判定する判定手段と、前記判定手段によって前記検出された属性が前記公開許可リストに含まれないと判定されると、その旨を示す報知情報を報知する報知手段と、前記判定手段によって前記検出された属性が前記公開許可リストに含まれないと判定されれば、前記撮影の結果得られた画像を前記外部装置に送信するか否かを設定する設定手段と、前記判定手段によって前記検出された属性が前記公開許可リストに含まれると判定された場合又は前記設定手段によって前記画像を前記外部装置に送信すると設定された場合に、前記画像を前記外部装置に送信するよう制御する送信制御手段と、を有することを特徴とする。
【００１２】
本発明による制御方法は、被写体を撮影して得られた画像を記録するとともに、当該画像を外部装置に送信する画像記録装置の制御方法であって、前記撮影の結果得られた画像の属性を検出する検出ステップと、前記検出ステップで検出された属性が所定の公開許可リストに含まれるか否かを判定する判定ステップと、前記判定ステップで前記検出された属性が前記公開許可リストに含まれないと判定されると、その旨を示す報知情報を報知する報知ステップと、前記判定ステップで前記検出された属性が前記公開許可リストに含まれないと判定されれば、前記撮影の結果得られた画像を前記外部装置に送信するか否かを設定する設定ステップと、前記判定ステップで前記検出された属性が前記公開許可リストに含まれると判定された場合又は前記設定ステップで前記画像を前記外部装置に送信すると設定された場合に、前記画像を前記外部装置に送信するよう制御する送信制御ステップと、を有することを特徴とする。
【００１３】
本発明による制御プログラムは、被写体を撮影して得られた画像を記録するとともに、当該画像を外部装置に送信する画像記録装置で用いられる制御プログラムであって、前記画像記録装置が備えるコンピュータに、前記撮影の結果得られた画像の属性を検出する検出ステップと、前記検出ステップで検出された属性が所定の公開許可リストに含まれるか否かを判定する判定ステップと、前記判定ステップで前記検出された属性が前記公開許可リストに含まれないと判定されると、その旨を示す報知情報を報知する報知ステップと、前記判定ステップで前記検出された属性が前記公開許可リストに含まれないと判定されれば、前記撮影の結果得られた画像を前記外部装置に送信するか否かを設定する設定ステップと、前記判定ステップで前記検出された属性が前記公開許可リストに含まれると判定された場合又は前記設定ステップで前記画像を前記外部装置に送信すると設定された場合に、前記画像を前記外部装置にするよう制御する送信制御ステップと、を実行させることを特徴とする。
【発明の効果】
【００１４】
本発明によれば、撮影の結果得られた画像の属性が公開許可リストに含まれないと（例えば、画像に公開を許可しないプライバシー情報が含まれると）、その旨を報知するとともに、外部装置に画像を送信するか否かを設定するようにしたので、ユーザは、プライバシー情報を含む画像であるか否かを撮影の際に確認でき、たとえ、偶然にプライバシー情報を含む画像が撮影されてもユーザによる見逃しを防止することができる。さらに、ユーザは外部装置に送信するか否かを設定することができるので、特別の処理を行う必要なく確実にプライバシーを保護することができる。この結果、プライバシーの保護を確実としてしかもコストおよび処理時間の増大を防止することができる。
【図面の簡単な説明】
【００１５】
【図１】本発明の第１の実施形態による画像記録装置を備える撮像装置の一例についてその構成を説明するための図であり、（ａ）はそのハードウェア構成を示すブロック図、（ｂ）はその外観を示す斜視図である。
【図２】図１に示すビデオカメラにおいてＬＣＤパネルに表示される画面の一例を説明するための図であり、（ａ）は撮影の際にＬＣＤパネルに表示される画面の一例を示す図、（ｂ）はアップロード設定の際にＬＣＤパネルに表示される画面の一例を示す図である。
【図３】図１に示すＬＣＤパネルにアップロードの確認の際に表示される画面の一例を説明するための図であり、（ａ）はアップロード確認画面の一例を示す図、（ｂ）はプライバシー内容の確認画面の一例を示す図、（ｃ）は再生の確認画面の一例を示す図である。
【図４】図１に示すＬＣＤパネルに公開許可人物の確認の際に表示される画面の一例を説明するための図であり、（ａ）は公開許可人物確認画面の一例を示す図、（ｂ）は公開許可人物の登録画面の一例を示す図、（ｃ）は追加登録後の許可人物確認画面の一例を示す図である。
【図５】図１に示すビデオカメラにおいて動画記録の開始から停止までの間に行われる画面表示を説明するためのフローチャートである。
【図６】本発明の第２の実施形態による画像記録装置を備えるビデオカメラの一例についてそのハードウェア構成を示すブロック図である。
【図７】図６に示すビデオカメラにおいてＬＣＤパネル１１６に表示されるプライバシー内容確認画面の一例を示す図である。
【図８】図６に示すビデオカメラにおいて動画記録の開始から停止までの間に行われる画面表示を説明するためのフローチャートである。
【図９】本発明の第３の実施形態による画像記録装置を備えるビデオカメラにおいて撮影中にＬＣＤパネルに表示される画面の一例を説明するための図であり、（ａ）は第１の撮影時間でＬＣＤパネルに表示される画面の一例を示す図、（ｂ）は第２の撮影時間でＬＣＤパネルに表示される画面の一例を示す図、（ｃ）は第３の撮影時間でＬＣＤパネルに表示される画面の一例を示す図である。
【図１０】本発明の第３の実施形態におけるビデオカメラにおいて動画記録の開始から停止までの間に行われる画面表示を説明するためのフローチャートである。
【発明を実施するための形態】
【００１６】
以下、本発明の実施の形態による画像記録装置の一例について図面を参照して説明する。
【００１７】
［第１の実施形態］
図１は、本発明の第１の実施形態による画像記録装置を備える撮像装置の一例についてその構成を説明するための図である。そして、図１（ａ）はそのハードウェア構成を示すブロック図であり、図１（ｂ）はその外観を示す斜視図である。
【００１８】
図示の撮像装置は、例えば、デジタルビデオカメラ（以下単にビデオカメラと呼ぶ）であり、動画像を撮影して記録する。図示のビデオカメラは、例えば、Ｗｉ−Ｆｉ（Ｗｉｒｅｌｅｓｓ  Ｆｉｄｅｌｉｔｙ）によってインターネットに接続可能であり、ネットワーク設定情報に応じて外部に撮影画像又は撮影映像を送信することができる。なお、以下の説明では、Ｗｉ−Ｆｉ設定に必要なアクセスポイントおよび暗号化キーなどはビデオカメラに予め設定されているものとする。
【００１９】
図１（ａ）において、ＣＰＵ１１１は、プログラム・データ記憶部１０９からプログラムを読み込んで、当該プログラムに応じてビデオカメラ全体の制御を司る。読み込んだプログラムによって、ＣＰＵ１１１は複数のタスクを並列に実行することができ、ここでは、ＣＰＵ１１１は「モード制御タスク」、「カメラ制御タスク」、「レコーダ制御タスク」、および「表示制御タスク」を実行する。さらに、外部と通信を行う際には、ＣＰＵ１１１は「通信制御タスク」を実行して送信制御を行う。なお、ＣＰＵ１１１が表示制御タスクを実行すると、ＣＰＵ１１１は表示制御手段として機能することになる。
【００２０】
一時記憶部１０３の一部領域は、ＣＰＵ１１１のワーク領域として用いられ、当該ワーク領域は次の動画用フレームバッファおよびＯＳＤ（オンスクリーンディスプレイ）用フレームバッファとして用いられる。
【００２１】
カメラ部１０１は、被写体を撮影してアナログ映像信号を得る。図示はしないが、カメラ部１０１は撮影レンズユニット（以下単に撮影レンズと呼ぶ）を備えており、撮影レンズによって被写体像（光学像）が撮像素子に結像する。撮像素子は光電変換によって光学像に応じた電気信号（アナログ映像信号）を出力する。
【００２２】
なお、カメラ部１０１はＣＰＵ１１１の制御下で撮像素子を駆動する駆動回路および音響（音信号）を受信してアナログ音響信号に変換する音響変換回路などを有している。そして、アナログ音響信号はデジタル変換された後、画像データとともに録音、つまり、記録される。
【００２３】
映像処理部１０２は、カメラ部１０１から出力されたアナログ映像信号をデジタル映像信号に変換するとともに、所定の画像処理を行って動画データとして出力する。なお、ＣＰＵ１１１はカメラ制御タスクの実行によってカメラ部１０１および映像処理部１０２を制御する。
【００２４】
エンコーダ・デコーダ部１０４は、映像処理部１０２から動画データを受けて当該動画データを符号化して符号化動画データとする。そして、エンコーダ・デコーダ部１０４は当該符号化動画データを一時記憶部１０３に一旦記憶する。その後、ＣＰＵ１１１は動画データに付随する管理データとともに符号化動画データを動画記憶部１０５に記憶する。
【００２５】
動画の再生の際には、ＣＰＵ１１１は動画記憶部１０５から符号化動画データ（画像データ）を読み出して一時記憶部１０３に記憶する。そして、エンコーダ・デコーダ部１０４は符号化動画データを復号化して、動画データを再び一時記憶部１０３の動画用フレームバッファに展開する。なお、ＣＰＵ１１１はレコーダ制御タスクの実行によってエンコーダ・デコーダ部１０４および動画記憶部１０５を制御する。
【００２６】
動画記憶部１０５から読み出された管理データは、ＯＳＤ（Ｏｎ  Ｓｃｒｅｅｎ  Ｄｉｓｐｌａｙ）データ、つまり、撮影画像又は再生画像に重畳される文字表示およびＧＵＩ（Ｇｒａｐｈｉｃａｌ  Ｕｓｅｒ  Ｉｎｔｅｒｆａｃｅ）の生成に用いられる。そして、生成されたＯＳＤデータは、ＣＰＵ１１１によって一時記憶部１０３のＯＳＤ用フレームバッファに描画される。
【００２７】
ネットワーク設定記憶部１０６には、Ｗｉ−Ｆｉ接続に係るＷｉ−Ｆｉ設定情報およびアップロードの設定情報などのネットワーク設定情報が記憶される。ＣＰＵ１１１は、ネットワーク設定記憶部１０６から読み出したネットワーク設定情報に応じて、通信制御タスクを実行して通信部１０７を制御する。
【００２８】
顔検出部１０８で、映像処理部１０２から出力された動画データが示す画像において被写体の顔（顔領域）を検出してその特徴量を示す特徴情報を抽出する。そして、顔検出部１０８は顔の特徴情報を顔領域を示す顔画像とともに特徴ＤＢ（データベース）１１０に記憶する。なお、ＣＰＵ１１１はカメラ制御タスクの実行によって顔検出部を制御する。
【００２９】
ＣＰＵ１１１の制御下で、表示制御部１１５は前述の動画用フレームバッファおよびＯＳＤ用フレームバッファに記録された動画データおよびＯＳＤデータを重畳してＬＣＤパネル１１６（表示部）に表示する。図示の操作キー１１２およびタッチパネル１１３の各々はユーザによる操作指示を受け付けるための操作部である。
【００３０】
図１（ｂ）に示すように、ビデオカメラはカメラ部１０１（図１（ａ））を有する本体部１１８を備えるとともに、ヒンジ機構によって本体部１１８に回動可能に取り付けられたバリアングルＬＣＤ部１１７を備えている。ここでは、ＬＣＤパネル１１６およびタッチパネル１１３とは一体的に構成されて、バリアングルＬＣＤ部１１７に配置される。そして、このバリアングルＬＣＤ部１１７には操作キー１１２の一部が配置され、操作キーの残りは本体部１１８に配置されている。
【００３１】
例えば、光の透過率がＬＣＤパネル１１６の表示を妨げないようにタッチパネル１１３を構成して、ＬＣＤパネル１１６の表示面の上層にタッチパネル１１３を取り付ける。そして、タッチパネル１１３における入力座標とＬＣＤパネル１１６上の表示座標とを対応付ける。これによって、あたかもユーザがＬＣＤパネル１１６上に表示された画面を直接的に操作可能であるかのようなＧＵＩを構成することができる。
【００３２】
なお、タッチパネル１１３には、抵抗膜方式又は静電容量方式、表面弾性波方式、赤外線方式、電磁誘導方式、画像認識方式、および光センサ方式などの様々な方式のうちいずれかの方式を用いるようにすればよい。
【００３３】
ＣＰＵ１１１は、タッチパネル１１３に対する以下のユーザ操作を検出する。タッチパネル１１３を指又はペンで触れたこと（以下タッチダウンという）。タッチパネル１１３を指又はペンで触れている状態であること（以下タッチオンという）。タッチパネル１１３を指又はペンで触れたまま指又はペンが移動していること（以下ムーブという）。タッチパネル１１３に触れていた指又はペンをタッチパネル１１３から離したこと（以下タッチアップという）。タッチパネル１１３に何も触れていない状態（以下タッチオフという）。
【００３４】
これらのユーザ操作およびタッチパネル１１３に指又はペンが触れている位置を示す位置座標はタッチパネル情報として、タッチパネル１１３からＣＰＵ１１１に通知される。そして、ＣＰＵ１１１は当該タッチパネル情報に基づいてタッチパネル１１３でどのような操作が行なわれたかを判定する。
【００３５】
ムーブにおいて、ＣＰＵ１１１はタッチパネル１１３上で移動する指又はペンの移動方向を、位置座標の変化に基づいてタッチパネル１１３上の垂直成分および水平成分毎に判定する。また、タッチダウンから一定のムーブを経てタッチアップをした際、ＣＰＵ１１１はストロークを描いたと判定する。素早くストロークを描く操作はフリックと呼ばれる。
【００３６】
フリックは、タッチパネル１１３上に指又はペンを触れた状態である程度の距離だけ素早く動かしてタッチパネル１１１３から離すといった操作である。言い換えると、フリックはタッチパネル１１３上を指ではじくように素早くなぞる操作である。
【００３７】
ＣＰＵ１１１は所定の距離以上を、所定の速度以上でムーブしたことを検出して、そのままタッチアップを検出するとフリックが行なわれたと判定する。また、ＣＰＵ１１１は所定の距離以上を、所定の速度未満でムーブしたことを検出するとドラッグが行なわれたと判定する。
【００３８】
なお、ＣＰＵ１１１は上記の検出および判定をモード制御タスクの実効によって行う。モード制御タスクは操作部（操作キー１１２、タッチパネル１１３）からの指示、他のタスクからの要求、又はモード制御タスク自体が管理する内部状態の変化に応じてビデオカメラの動作状態を遷移させ、各タスクにイベントを通知する。
【００３９】
図２は、図１に示すビデオカメラにおいてＬＣＤパネル１１６に表示される画面の一例を説明するための図である。そして、図２（ａ）は撮影の際にＬＣＤパネル１１６に表示される画面の一例を示す図であり、図２（ｂ）はアップロード設定の際にＬＣＤパネル１１６に表示される画面の一例を示す図である。
【００４０】
図２（ａ）に示すように、撮影の際には、カメラ部１０１による撮像又は撮影の結果得られた画像２０１がＬＣＤパネル１１６に全画面表示されている。この画像２０１には、被写体として被写体２０７、２０８、および被写体２０９が存在する。そして、画面の上部には、ビデオカメラ情報である撮影時間情報２０４、録画状態アイコン２０５、および残バッテリ情報２０６がＯＳＤで表示されている。
【００４１】
さらに、画面にはタッチ操作が可能であることを示すタッチボタンであるＦＵＮＣメニューボタン２０２および静止画撮影可能なフォトボタン２０３がそれぞれＯＳＤで表示されている。
【００４２】
これらＯＳＤで表示される項目（アイテム）は、映像（画像）に重畳されて付加情報として画面表示されるものであり、「表示アイテム」と呼ばれる。図示の例では、撮影時間情報２０４、録画状態アイコン２０５、残バッテリ情報２０６、および上記のタッチボタン類が表示アイテムである。
【００４３】
アップロード設定の際には、図２（ｂ）に示すアップロード設定画面がＬＣＤパネル１１６に表示される。ユーザは当該アップロード設定画面によってアップロードに関する設定を行うことができる。なお、ユーザは、図２（ａ）に示すＦＵＮＣメニューボタン３０２をタップすると表示されるメニュー画面からアップロード設定画面に遷移を行うことができる。そして、アップロード対象の画像がプライバシー情報を含むか否かに拘わらず、ユーザはアップロード設定画面によって公開又は非公開を設定することができる。
【００４４】
アップロード設定画面には、アップロード先のサービスを選択するための選択ボタンとして、第１のサービス選択ボタン２１１、第２のサービス選択ボタン２１２、および第３のサービス選択ボタン２１３がＯＳＤで表示される。図示の例では、サービス”１”〜”３”が示されているが、これらサービスとして、例えば、ＳＮＳサービスの１つであるＦａｃｅｂｏｏｋ又は動画アップロードサービスの１つであるＹｏｕＴｕｂｅ(登録商標)などがある。
【００４５】
さらに、アップロード設定画面には、サービス（つまり、サーバ）に対する接続の際に必要なアカウント情報入力エリアとして、ユーザＩＤ入力エリア２１４およびユーザーパスワード入力エリア２１５がＯＳＤで表示される。なお、ユーザは、ビデオカメラが備えるソフトウェアキーボードによってアカウント情報入力エリアに対する入力を行うことができる。
【００４６】
さらに、アップロード設定画面には閲覧可能なユーザの範囲を設定する公開設定を選択するための選択ボタンとして、ＡＵＴＯボタン２１６、公開ボタン２１７、および非公開ボタン２１８がＯＳＤで表示される。アップロード設定画面において選択された公開設定は、以後撮影される画像に対して有効になる。
【００４７】
また、ＡＵＴＯとは、後述するように、ビデオカメラが自動で公開であるか否かを判別して、必要に応じて撮影後にアップロード確認画面を表示する機能である。なお、以下の説明では、アップロード確認画面を単に確認画面とも呼ぶ。
【００４８】
図３は、図１に示すＬＣＤパネル１１６にアップロードの確認の際に表示される画面の一例を説明するための図である。そして、図３（ａ）はアップロード確認画面の一例を示す図であり、図３（ｂ）はプライバシー内容の確認画面の一例を示す図である。また、図３（ｃ）は再生の確認画面の一例を示す図である。
【００４９】
ＣＰＵ１１１が表示制御部１１５によってアップロード確認画面（図３（ａ））をＬＣＤパネル１１６に表示すると、ユーザはアップロードに関する設定を行うことができる。このアップロード確認画面は、ユーザがプライバシーを含む映像（画像）を撮影した場合に、撮影の後にＬＣＤパネル１１６に表示される画面である。ここでは、プライバシー映像の一例として顔画像を例に挙げる。
【００５０】
図３（ａ）に示すアップロード確認画面には、公開設定の変更を行うボタンである公開ボタン３０１および非公開ボタン３０２（ともに設定ボタン）がＯＳＤで表示される。また、アップロード確認画面にはどの様なプライバシー画像が撮影されたかを確認するための画面に遷移するための確認ボタン３０３がＯＳＤで表示される。
【００５１】
ユーザがアップロード確認画面において確認ボタン３０３を選択すると、ＣＰＵ１１１は表示制御部１１５によって、図３（ｂ）に示すプライバシー内容確認画面をＬＣＤパネル１１６に表示する。ユーザは、プライバシー内容確認画面においてプライバシー映像が撮影されたか否かを確認することができる。
【００５２】
プライバシー内容確認画面には、図３（ａ）に示す画面に戻るボタン３１１、映像におけるプライバシーを含むサムネイル３１２、３１３、および３１４がＯＳＤで表示される。サムネイル３１２〜３１４は、顔画像が含み始めたタイムコードにおけるフレームである。ユーザがサムネイル３１２又は３１３とサムネイル３１４とをタップすると、ＣＰＵ１１１は当該タップされたサムネイル間のプライバシー映像が含む映像を再生する。
【００５３】
ユーザが図３（ｂ）に示す画面においてサムネイル３１２又は３１３とサムネイル３１４とをタップすると、例えば、ＣＰＵ１１１は表示制御部１１５によってＬＣＤパネル１１６に図３（ｃ）に示す再生確認画面を表示する。そして、再生によって、ユーザはどのようなプライバシー映像が含まれているかを確認することができる。
【００５４】
再生確認画面には、再生状態を示す再生アイコン３２１がＯＳＤで表示され、さらに、画面全体に再生画像３２２が表示される。なお、プライバシー映像が含まれる期間（フレーム期間）の再生を終えると、ＣＰＵ１１１は図３（ｂ）に示す画面をＬＣＤパネル１１６に表示する。
【００５５】
図４は、図１に示すＬＣＤパネル１１６に公開許可人物の確認の際に表示される画面の一例を説明するための図である。そして、図４（ａ）は公開許可人物確認画面の一例を示す図であり、図４（ｂ）は公開許可人物の登録画面の一例を示す図である。また、図４（ｃ）は追加登録後の許可人物確認画面の一例を示す図である。
【００５６】
いま、ユーザが図２（ａ）に示す画面において、ＦＵＮＣメニューボタン３０２をタップすると、ＣＰＵ１１１は表示制御部１１５によってＬＣＤパネル１１６にメニュー画面を表示する。そして、ユーザの操作に応じてＣＰＵ１１１はメニュー画面から図４（ａ）に示す画面に遷移を行う。
【００５７】
ユーザは公開許可人物確認画面によって登録された公開許可人物の顔画像を確認することができる。ここでは、顔画像が登録されている場合には、撮影の際に顔画像が記録されたとしても、当該登録された顔画像は公開許可人物確認画面には表示されない。なお、公開許可人物確認画面に表示されるサムネイル画像（顔画像）はＣＰＵ１１１によって顔検出部１０８を介して特徴ＤＢ１１０から読み出される。
【００５８】
公開許可人物確認画面には、メニュー画面に戻るための戻るボタン４０１と登録済み顔画像サムネイル４０２、そして、追加ボタン４０３がそれぞれＯＳＤで表示される。
【００５９】
公開許可人物確認画面において、ユーザが追加ボタン４０３をタップすると、ＣＰＵ１１１は表示制御部１１５によって図４（ｂ）に示す画面をＬＣＤパネル１１６に表示する。そして、ユーザはこの登録画面によって公開許可人物の顔画像を公開許可人物リストに追加登録することができる。
【００６０】
登録画面においては、カメラ部１０１による撮像の結果えられた画像４１１がＬＣＤパネル１１６に全画面表示されている。ここでは、画像４１１には公開許可人物である被写体４１３が存在する。また、画面には、登録顔エリア４１２および決定ボタン４１４がＯＳＤで表示される。ユーザが決定ボタン４１４を押すと、ＣＰＵ１１１は顔検出部１０８によって当該被写体４１３の顔画像をサムネイル画像として特徴ＤＢ１１０に記録するとともに、顔の特徴量を特徴ＤＢ１１０に記憶する。
【００６１】
図４（ｂ）に示す画面において登録を行うと、ＣＰＵ１１１は表示制御部１１５によって図４（ｃ）に示す公開許可人物が追加登録された画面をＬＣＤパネル１１６に表示する。図４（ｃ）に示す例では、公開許可人物が追加登録されたので、登録済み顔画像サムネイル４２３が追加されて表示される。
【００６２】
図５は、図１に示すビデオカメラにおいて動画記録の開始から停止までの間に行われる画面表示を説明するためのフローチャートである。
【００６３】
なお、図示のフローチャートに係る処理は、ＣＰＵ１１１がプログラム・データ記憶部１０８からプログラムお読み出して実行することによって行われる。また、ここでは、ビデオカメラにおいてアップロード設定における公開設定がＡＵＴＯである場合について説明する。
【００６４】
動画撮影（つまり、動画記録）が開始されると、ＣＰＵ１１１は動画記録が継続されているか否かを判定する（ステップＳ５０１）。動画記録停止（終了指示）のイベントがないと（ステップＳ５０１において、ＹＥＳ）、ＣＰＵ１１１は動画記録部１０５に記録された記録画像（動画データ）を解析する（ステップＳ５０２）。例えば、ＣＰＵ１１１は顔検出部１０８によって記録画像に顔画像（この顔画像は記録画像の属性である）が含まれるか否かを解析し、顔画像が含まれていると、記録画像における顔（顔画像）の位置を検出する。さらに、ＣＰＵ１１１は顔検出部１０８を介して当該顔画像が公開許可人物として特徴ＤＢ１１０に登録された顔画像であるか否かを解析する。
【００６５】
続いて、ＣＰＵ１１１は、上記の記録画像に顔画像が含まれるか否かを判定する（ステップＳ５０３）。記録画像に顔画像が含まれると（ステップＳ５０３において、ＹＥＳ）、ＣＰＵ１１１はステップＳ５０２における画像解析によって得られた顔画像が特徴ＤＢ１１０に記録された顔画像のいずれかと一致するか否かを判定する（ステップＳ５０４）。つまり、ＣＰＵ１１１は公開許可人物リスト（公開許可リストともいう）に含まれる顔画像であるか否かを判定して判定結果を得ることになる。
【００６６】
画像解析によって得られた顔画像が特徴ＤＢ１１０に記録された公開許可人物リストの顔画像のいずれとも一致しないと（ステップＳ５０４において、ＮＯ）、ＣＰＵ１１１は動作モードをプライバシー画像撮影中モードに設定する（ステップＳ５０５）。一方、画像解析によって得られた顔画像が特徴ＤＢ１１０に記録された顔画像のいずれかと一致すると（ステップＳ５０４において、ＹＥＳ）、ＣＰＵ１１１は動作モードを通常撮影中モードとする（ステップＳ５０６）。
【００６７】
ステップＳ５０５又はＳ５０６の処理に続いて、ＣＰＵ１１１は動作モードに変化があったか否かを判定する（ステップＳ５０７）。動作モードに変化がないと（ステップＳ５０７において、ＮＯ）、ＣＰＵ１１１はステップＳ５０１の処理に戻る。一方、動作モードに変化があると（ステップＳ５０７において、ＹＥＳ）、ＣＰＵ１１１は現在の動作モードがプライバシー画像撮影中モードであるか否かを判定する（ステップＳ５０８）。
【００６８】
現在の動作モードがプライバシー画像撮影中モードであると（ステップＳ５０８において、ＹＥＳ）、ＣＰＵ１１１は開始タイムコードとしてプライバシー記録リスト（動画記録部１０５）に現在のタイムコードを格納して（ステップＳ５０９）、ステップＳ８０１の処理に戻る。
【００６９】
現在の動作モードがプライバシー画像撮影中モードでないと（ステップＳ５０８において、ＮＯ）、ＣＰＵ１１１は終了タイムコードとしてプライバシー記録リストに現在のタイムコードを格納して（ステップＳ５１０）、ステップＳ８０１の処理に戻る。
【００７０】
上記のステップＳ５０９およびＳ５１０の処理によって、ＣＰＵ１１１はプライバシー画像が含まれ始めたタイムコードとプライバシー画像が終えたタイムコードをプライバシー記録リストに記録する。
【００７１】
動画記録停止のイベントがあると（ステップＳ５０１において、ＮＯ）、ＣＰＵ１１１はプライバシー記録リストにデータが存在するか否かを判定する（ステップＳ５１１）。プライバシー記録リストにデータが存在すると（ステップＳ５１１において、ＹＥＳ）、ＣＰＵ１１１は表示制御部１１５によって、図３（ａ）に示すアップロード確認画面をＬＣＤパネル１１６に表示する（ステップＳ５１２）。つまり、ＣＰＵ１１１はプライバシー記録リストにデータが存在すると（即ち、顔画像が公開許可リストに含まれないと）、その旨を示す報知情報を報知して、アップロード確認画面をＬＣＤパネル１１６に表示することになる。
【００７２】
これによって、ＣＰＵ１１１はアップロードの公開設定に関する設定操作を受け付ける。さらに、ＣＰＵ１１１は受け付けた設定情報を付加情報として動画データとともに動画記憶部１０５に記憶して、動画記録を終了する。
【００７３】
一方、プライバシー記録リストにデータが存在しないと（ステップＳ５１１において、ＮＯ）、ＣＰＵ１１１は動画記録を終了する。
【００７４】
上述のように、プライバシー画像を含んでいるタイムコードをプライバシー記録リストに記憶して、記録停止イベントがあると、プライバシー記録リストを参照してプライバシー画像が含まれる場合には、アップロードの公開設定に関する確認画面を表示するようにした。これにより、ユーザは撮影の結果得られた動画にプライバシー画像が含まれるか否かを容易に知ることができる。そして、ユーザは、アップロード確認画面によって公開範囲を選択することが可能となる。
【００７５】
この結果、アップロードした後にユーザはわざわざ画像の再生確認をする手間が省ける。さらに、偶然にプライバシー画像を撮影した場合にも、ユーザは撮影直後にその確認を行うことができ、プライバシーの保護を確実にすることができる。
【００７６】
また、ここでは、サービスの公開設定を用いてプライバシー保護を行うようにしたので、画像記録装置においてモザイク処理などの特別の処理を行う必要がなく、コストおよび処理時間が増大することがない。
【００７７】
なお、第１の実施形態では、プライバシー記録リストにタイムコードを記録するようにしたが、タイムコードに限らず、動画データのある時点を示すタイムスタンプを記録するようにしてもよい。さらには、動画データのある時点における画像をＲＡＭ、内蔵メモリー、又は外部記録装置に展開するようにしてもよい。
【００７８】
［第２の実施形態］
続いて、本発明の第２の実施形態による画像記録装置を備えるビデオカメラの一例をついて説明する。
【００７９】
上述の第１の実施形態では、プライバシー画像として顔画像を例に挙げて説明したが、第２の実施形態では、プライバシー画像として後述の位置情報と音声情報および文字情報とを含む画像を例に挙げて説明する。なお、これら位置情報、音声情報、および文字情報の各々は画像の属性である。
【００８０】
図６は、本発明の第２の実施形態による画像記録装置を備えるビデオカメラの一例についてそのハードウェア構成を示すブロック図である。
【００８１】
なお、第２の実施形態におけるビデオカメラの外観は図１（ａ）に示すビデオカメラと同様である。また、図６において、図１（ａ）に示す構成要素と同一の構成要素について同一の参照番号を付す。
【００８２】
図６に示すビデオカメラは、顔検出部１０８および特徴ＤＢ１１０の代わりに、位置情報取得部２０１および位置情報ＤＢ２０２を有している。さらに、図６に示すビデオカメラは音声情報解析部２０３、文字情報解析部１０４、および音情報ＤＢ２０５を備えている。
【００８３】
位置情報取得部２０１は、ＣＰＵ１１１の制御下でカメラの位置情報を取得する。ここでは、位置情報取得部２０１はＧＰＳ衛星から送信されるＧＰＳ信号を受信するＧＰＳ受信機を備え、当該ＧＰＳ信号に応じてカメラの位置情報を求める。
【００８４】
位置情報取得部２０１によって得られた位置情報は位置情報ＤＢ２０２に記録される。ＣＰＵ１１１は上述の通信制御タスクによって位置情報取得部２０１および位置情報ＤＢ２０２を制御する。
【００８５】
音声情報解析部２０３は、映像処理部１０２から出力される動画データに含まれる音情報を検出して、パターン認識に応じて音情報を解析する。例えば、音声情報解析部２０３は、パターン認識によって特定の音条件を満たす音情報を検出する。ここでは、例えば、人の音声又は楽曲情報が特定の音条件とされる。特定の音条件である人の音声又は楽曲情報を判別するための音判別パターン情報が音情報ＤＢ２０５に格納されており、音声情報解析部２０３は音情報ＤＢ２０５を参照して音情報の解析を行う。なお、ユーザ操作に応じて、ＣＰＵ１１１は音声情報解析部２０３を介して個人の音声パターン（音情報）を音情報ＤＢ２０５に記憶する。
【００８６】
文字情報解析部２０４は、映像処理部１０２から出力される動画データに含まれる文字情報を、文字認識によって検出する。ここでは、文字情報解析部２０４は特定の文字条件を満たす文字情報を検出する。なお、特定の文字条件として、文字の大きさおよび明確度などが用いられる。
【００８７】
図７は、図６に示すビデオカメラにおいてＬＣＤパネル１１６に表示されるプライバシー内容確認画面の一例を示す図である。
【００８８】
図６に示すビデオカメラにおいても、ＣＰＵ１１１は表示制御部１１５によって、図２に示す画面および図３（ａ）で説明したアップロード確認画面をＬＣＤパネル１１６に表示する。
【００８９】
いま、図３（ａ）に示すアップロード確認画面において、ユーザが確認ボタン３０３を選択すると、ＣＰＵ１１１は表示制御部１１５によって、図７に示すプライバシー内容確認画面をＬＣＤパネル１１６に表示する。ここでは、プライバシー画像として、位置情報、音情報、および文字情報が用いられる。
【００９０】
図７に示すプライバシー内容確認画面には、図３（ａ）に示すアップロード確認画面に戻るためのボタン７０１が表示されるとともに、撮影を行った時点におけるＧＰＳ情報（位置情報）７０２が表示される。さらに、プライバシー内容確認画面には、音情報７０３、音声再生ボタン７０６、楽曲再生ボタン７０７、およびサムネイル７０４および７０５がＯＳＤで表示される。
【００９１】
音情報７０３はプライバシー含む音情報が検出された旨を示しており、音声再生ボタン７０６の操作によって、ユーザはプライバシーを含む音声を確認することができる。また、楽曲再生ボタン６０７の操作によって、ユーザはプライバシーを含む楽曲を確認することができる。
【００９２】
サムネイル７０４および７０５の各々には映像（動画）中の文字情報プライバシーが含まれている。また、サムネイル７０４は文字情報を含み始めたタイムコードのフレームであり、サムネイル７０５は文字情報が終了するタイムコードのフレームである。そして、ユーザはサムネイル７０４および７０５をタップすることによって、サムネイル７０４および７０５で規定されるプライバシー画像を含む間の動画を再生することができる。
【００９３】
図８は、図６に示すビデオカメラにおいて動画記録の開始から停止までの間に行われる画面表示を説明するためのフローチャートである。
【００９４】
なお、図示のフローチャートに係る処理は、ＣＰＵ１１１がプログラム・データ記憶部１０８からプログラムを読み出して実行することによって行われる。また、ここでは、ビデオカメラにおいてアップロード設定における公開設定がＡＵＴＯ（自動）である場合について説明する。
【００９５】
動画記録が開始されると、ＣＰＵ１１１はまず初期化処理を行って、ＧＰＳ情報フラグをｆａｌｓｅ（偽）とする（ステップＳ８０１）。続いて、ＣＰＵ１１１は動画記録が継続されているか否かを判定する（ステップＳ８０２）。動画記録停止のイベントがないと（ステップＳ８０２において、ＹＥＳ）、ＣＰＵ１１１はＧＰＳモードがＯＮであるか否かを判定する（ステップＳ８０３）。
【００９６】
なお、ＧＰＳモードがＯＮの状態とは、ユーザ操作によってメニュー画面においてＧＰＳ機能が有効とされた状態をいう。
【００９７】
ＧＰＳモードがＯＮであると（ステップＳ８０３において、ＹＥＳ）、ＣＰＵ１１１は位置情報取得部２０１においてＧＰＳ信号が取得可能であるか（つまり、ＧＰＳ信号を受信可能か）否かを判定する（ステップＳ８０４）。ＧＰＳ信号の受信が可能であると（ステップＳ８０４において、ＹＥＳ）、ＣＰＵ１１１は位置情報取得部２０１でＧＰＳ信号を受信して、ＧＰＳ信号に応じてビデオカメラの位置を示す位置情報（ＧＰＳ情報ともいう）を得る。そして、ＣＰＵ１１１は当該ＧＰＳ情報を付加情報（メタデータ）として動画データとともに動画記憶部１０５に記憶する（ステップＳ８０５）。
【００９８】
続いて、ＧＰＳ情報を取得できたので、ＣＰＵ１１１はＧＰＳ情報フラグをＴＲＵＥ（真）として（ステップＳ８０６）、動画記録部１０５に記録した記録画像（つまり、動画データ）の解析を行う（ステップＳ８０７）。
【００９９】
なお、ＧＰＳモードがＯＦＦであると（ステップＳ８０３において、ＮＯ）、ＣＰＵ１１１はステップＳ８０７の処理に進む。同様に、ＧＰＳ信号の受信が可能でないと（ステップＳ８０４において、ＮＯ）、ＣＰＵ１１１はステップＳ８０７の処理に進む。ここで、ＧＰＳ信号の受信が不可である場合とは、ビデオカメラがビル又は家などの屋内にありＧＰＳ信号の受信ができない場合などである。
【０１００】
続いて、ＣＰＵ１１１はステップＳ８０７の解析結果に応じて記録画像に文字情報が含まれているか否かを判定する（ステップＳ８０８）。記録画像に文字情報が含まれると（ステップＳ８０８において、ＹＥＳ）、ＣＰＵ１１１は当該文字情報が特定の文字条件を満たす文字情報であるか否かを判定する（ステップＳ８０９）。この特定の文字条件とは、例えば、文字の大きさおよび明確さをいい、さらに、電話番号、住所およびＥ−Ｍａｉｌアドレスなどである可能性が高いという条件も含む。
【０１０１】
文字情報が特定の文字条件を満たすと（ステップＳ８０９において、ＹＥＳ）、ＣＰＵ１１１は撮影モード（動作モード又は内部モードともいう）をプライバシー画像撮影中モードとする（ステップＳ８１０）。記録画像に文字情報が含まれないと（ステップＳ８０８において、ＮＯ）、ＣＰＵ１１１は撮影モードを通常撮影モードとする（ステップＳ８１１）。なお、文字情報が特定の文字条件を満たさないと（ステップＳ８０９において、ＮＯ）、ＣＰＵ１１１はステップＳ８１１の処理に進んで、撮影モードを通常撮影中モードとする。
【０１０２】
ステップＳ８１０又はＳ８１１の処理の後、ＣＰＵ１１１は動作モードに変化があったか否かを判定する（ステップＳ８１２）。動作モードに変化がないと（ステップＳ８１２において、ＮＯ）、ＣＰＵ１１１はステップＳ８０２の処理に戻る。
【０１０３】
一方、動作モードに変化があると（ステップＳ８１２において、ＹＥＳ）、ＣＰＵ１１１は現在の動作モードがプライバシー画像撮影中モードであるか否かを判定する（ステップＳ８１３）。現在の動作モードがプライバシー画像撮影中モードであると（ステップＳ８１３において、ＹＥＳ）、ＣＰＵ１１１は開始タイムコードとしてプライバシー記録リストに現在のタイムコードを格納して（ステップＳ８１４）、ステップＳ８０２の処理に戻る。
【０１０４】
現在の動作モードがプライバシー画像撮影中モードでないと（ステップＳ８１３において、ＮＯ）、ＣＰＵ１１１は終了タイムコードとしてプライバシー記録リストに現在のタイムコードを格納して（ステップＳ８１５）、ステップＳ８０２の処理に戻る。
【０１０５】
動画記録停止のイベントがあると（ステップＳ８０２において、ＮＯ）、ＣＰＵ１１１は音声情報解析部２０３によって動画データに付随する音データの解析を行う（ステップＳ８１６）。ここでは、ＣＰＵ１１１は、音データの解析結果に応じて記録画像に特定の音条件を満たす音情報が含まれているか否かを判定する。
【０１０６】
なお、特定の音条件とは、例えば、音データに人の音声が存在するか否か、さらに、音データに著作権に影響のある楽曲データが存在するか否かなどの条件である。また、解析の際には、ＣＰＵ１１１はユーザ登録による音声データと音データとの比較も行う。
【０１０７】
続いて、ＣＰＵ１１１は音声情報解析部２０３によって解析結果に応じて音データに含まれる音声データが音情報ＤＢ２０５に登録されているか否かを判定する（ステップＳ８１７）。解析によって得られた音声データが音情報ＤＢ２０５に登録されていないと（ステップＳ８１７において、ＮＯ）、ＣＰＵ１１１は解析結果に応じて音データに楽曲データが含まれるか否かを判定する（ステップＳ８１８）。
【０１０８】
音データに楽曲テータが含まれないと（ステップＳ８１８において、ＮＯ）、ＣＰＵ１１１はＧＰＳ情報フラグがＴｒｕｅであるか否かを判定する（ステップＳ８１９）。ＧＰＳ情報フラグがＴｒｕｅでないと（ステップＳ８１９において、ＮＯ）、ＣＰＵ１１１はプライバシー記録リストにデータが存在するか否かを判定する（ステップＳ８２０）。
【０１０９】
プライバシー記録リストにデータが存在しないと（ステップＳ８２０において、ＮＯ）、ＣＰＵ１１１は動画記録を終了する。一方、プライバシー記録リストにデータが存在すると（ステップＳ８２０において、ＹＥＳ）、ＣＰＵ１１１は表示制御部１１５によって、図７で説明したプライバシー情報（プライバシー画像）確認画面をＬＣＤパネル１１６に表示して（ステップＳ８２１）、アップロードの公開設定に関する設定操作を受け付ける。そして、ＣＰＵ１１１は動画記録を終了する。
【０１１０】
なお、解析によって得られた音声データが音情報ＤＢ２０５に登録されていると（ステップＳ８１７において、ＹＥＳ）、ＣＰＵ１１１はステップＳ８２１の処理に進む。同様に、音データに楽曲テータが含まれると（ステップＳ８１８において、ＹＥＳ）、ＣＰＵ１１１はステップＳ８２１の処理に進む。また、ＧＰＳ情報フラグがＴｒｕｅであると（ステップＳ８１９において、ＹＥＳ）、ＣＰＵ１１１はステップＳ８２１の処理に進む。
【０１１１】
このように、本発明の第２の実施形態では、ＧＰＳ情報（位置情報）が得られ、動画データに付随する音データおよび文字情報などの所謂プライバシー情報が特定の条件を満たす場合には、ＣＰＵ１１１はアップロードの公開設定に関する確認画面をＬＣＤパネル１１６に表示する。これによって、ユーザは、撮影の結果得られた画像（つまり、ここでは動画）にプライバシー画像が含まれるか否かを容易に知ることができる。そして、ユーザは必要に応じて確認画面によって公開範囲を選択設定することができる。
【０１１２】
この結果、アップロードした後にユーザはわざわざ画像の再生確認をする手間が省ける。さらに、偶然にプライバシー画像を撮影した場合にも、ユーザは撮影直後にその確認を行うことができ、プライバシーの保護を確実にすることができる。
【０１１３】
また、ここでは、サービスの公開設定を用いてプライバシー保護を行うようにしたので、画像記録装置においてモザイク処理などの特別の処理を行う必要がなく、コストおよび処理時間が増大することがない。
【０１１４】
なお、第２の実施形態では、プライバシー記録リストにタイムコードを記録するようにしたが、タイムコードに限らず、動画データのある時点を示すタイムスタンプを記録するようにしてもよい。さらには、動画データのある時点における画像をＲＡＭ、内蔵メモリー、又は外部記録装置に展開するようにしてもよい。
【０１１５】
さらに、第２の実施形態では、ＧＰＳ信号を受信したか否かに応じてプライバシー画像（プライバシー情報）であるか否かの判定を開始するようしたが、予め特定の位置を位置情報ＤＢの公開許可位置リストに登録しておき、登録された位置から所定の距離範囲においては、ＣＰＵ１１１はプライバシー情報の確認画面を表示しないようにしてもよい。
【０１１６】
［第３の実施形態］
次に、本発明の第３の実施形態による画像記録装置を備えるビデオカメラの一例をついて説明する。
【０１１７】
上述の第１および第２の実施形態では、動画データがプライバシー画像（又はプライバシー情報）を含むか否かに応じて確認画面をＬＣＤパネル１１６に表示するようにしたが、第３の実施形態では、確認画面の表示タイミングを動画撮影中に行う。
【０１１８】
なお、本発明の第３の実施形態におけるビデオカメラの構成は図１に示すビデオカメラと同様である。
【０１１９】
図９は、発明の第３の実施形態による画像記録装置を備えるビデオカメラにおいて撮影中にＬＣＤパネルに表示される画面の一例を説明するための図である。そして、図９（ａ）は第１の撮影時間（００：００：００）でＬＣＤパネルに表示される画面の一例を示す図であり、図９（ｂ）は第２の撮影時間（００：００：１０）でＬＣＤパネルに表示される画面の一例を示す図である。また、図９（ｃ）は第３の撮影時間（００：００：５０）でＬＣＤパネルに表示される画面の一例を示す図である。
【０１２０】
なお、図９において、図２に示すアイテム（項目）と同一のものは同一の参照番号を付して、説明を省略する。
【０１２１】
図９（ａ）は、第１の撮影時間（撮影開始時）にＬＣＤパネル１１６に表示される画面であり、ここでは、ＬＣＤパネル１１６には、カメラ部１０１による撮影の結果得られた画像９０１が全画面表示される。ここでは、画像９０１にはプライバシー画像が含まれていないものとする。
【０１２２】
続いて、撮影開始から１０秒経過すると、図９（ｂ）に示す画面がＬＣＤパネル１１６に表示される。ここでは、ＬＣＤパネル１１６には、カメラ部１０１による撮影の結果得られた画像９１１が全画面表示される。ここで、画像７１１にはプライバシー画像が含まれているので、ＣＰＵ１１１は表示制御部１１５によってプライバシー画像撮影アイコン９１０をＬＣＤパネル１１６にＯＳＤで表示する。
【０１２３】
撮影開始から５０秒経過すると、図９（ｃ）に示す画面がＬＣＤパネル１１６に表示される。ここでは、ＬＣＤパネル１１６には、カメラ部１０１による撮影の結果得られた画像９２１が全画面表示される。ここで、画像９２１はプライバシー画像が含まれた後の画面であって、画像９２１にはプライバシー画像は含まれていない。この場合、一度プライバシーに係る画像が撮影されたので、ＣＰＵ１１１はプライバシー画像撮影アイコン９１０の表示を継続する。
【０１２４】
図１０は、本発明の第３の実施形態におけるビデオカメラにおいて動画記録の開始から停止までの間に行われる画面表示を説明するためのフローチャートである。
【０１２５】
なお、図１０において、図５に示すステップと同一のステップについては同一の参照符号を付して説明を省略する。また、図示のフローチャートに係る処理は、ＣＰＵ１１１がプログラム・データ記憶部１０８からプログラムお読み出して実行することによって行われる。ここでは、ビデオカメラにおいてアップロード設定における公開設定がＡＵＴＯである場合について説明する。
【０１２６】
図５で説明したようにして、ステップＳ５０５において動作モードをプライバシー画像撮影中モードに設定した後、ＣＰＵ１１１は表示制御部１１５によって、図９（ｂ）に示すプライバシー画像撮影アイコン９１０をＬＣＤパネル１１６に表示する（ステップＳ１００１）。その後、ＣＰＵ１１１はステップＳ５０７の処理に進む。なお、ステップＳ１００１の処理は、プライバシーに係る動画が撮影された場合に行われる。
【０１２７】
図５で説明したようにして、ステップＳ５１２において図３（ａ）に示すアップロード確認画面をＬＣＤパネル１１６に表示した後、ＣＰＵ１１１はプライバシー画像撮影アイコン９１０を非表示とする（ステップＳ１００２）。ステップＳ１００２の処理は、撮影終了（つまり、記録終了）の際に行われる。
【０１２８】
上述のように、本発明の第３の実施形態では、動画データがプライバシー画像を含むタイミングでプライバシー画像撮影アイコン９１０をＬＣＤパネル１１６に表示するようにしたので、ユーザは動画データにプライバシー画像が含まれているかを即時に確認することができる。
【０１２９】
このため、偶然にプライバシー画像を撮影した場合においても、ユーザは即時にプライバシー画像の存在に気づくことができる。そして、第１の実施の形態と同様に、撮影終了後にはアップロード確認画面がＬＣＤパネル１１６に表示されるので、アップロードした後にユーザはわざわざ画像の再生確認をする手間が省ける。さらに、偶然にプライバシー画像を撮影した場合にも、ユーザは撮影直後にその確認を行うことができ、プライバシーの保護を確実にすることができる。
【０１３０】
また、ここでは、サービスの公開設定を用いてプライバシー保護を行うようにしたので、画像記録装置においてモザイク処理などの特別の処理を行う必要がなく、コストおよび処理時間が増大することがない。
【０１３１】
なお、第３の実施形態においても、プライバシー記録リストにタイムコードを記録するようにしたが、タイムコードに限らず、動画データのある時点を示すタイムスタンプを記録するようにしてもよい。さらには、動画データのある時点における画像をＲＡＭ、内蔵メモリー、又は外部記録装置に展開するようにしてもよい。
【０１３２】
なお、図１に示す例では、少なくとも動画記憶部１０５、ネットワーク設定記憶部１０６、通信部１０７、顔検出部１０８、特徴ＤＢ１１０、ＣＰＵ１１１、操作キー１１２、タッチパネル１１３、表示制御部１１５、およびＬＣＤパネル１１６が画像記録装置を構成する。
【０１３３】
上述の実施の形態では本発明をビデオカメラに適用した場合を例として説明したが、画像に重畳記録できる記録装置であればよく、例えば、パーソナルコンピュータ、ＰＤＡ、又は携帯電話端末などに適用することができる。
【０１３４】
以上、本発明について実施の形態に基づいて説明したが、本発明は、これらの実施の形態に限定されるものではなく、この発明の要旨を逸脱しない範囲の様々な形態も本発明に含まれる。
【０１３５】
例えば、上記の実施の形態の機能を制御方法として、この制御方法を画像記録装置に実行させるようにすればよい。また、上述の実施の形態の機能を有するプログラムを制御プログラムとして、当該制御プログラムを画像記録装置が備えるコンピュータに実行させるようにしてもよい。なお、制御プログラムは、例えば、コンピュータに読み取り可能な記録媒体に記録される。
【０１３６】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【０１３７】
１０１  カメラ部
１０２  映像処理部
１０５  動画記録部
１０６  ネットワーク設定記憶部
１０７  通信部
１０８  顔検出部
１１１  ＣＰＵ
１１３  タッチパネル
１１５  表示制御部
１１６  ＬＣＤパネル
【図１】
2014204273.tif 000003
【図２】
2014204273.tif 000004
【図３】
2014204273.tif 000005
【図４】
2014204273.tif 000006
【図５】
2014204273.tif 000007
【図６】
2014204273.tif 000008
【図７】
2014204273.tif 000009
【図８】
2014204273.tif 000010
【図９】
2014204273.tif 000011
【図１０】
2014204273.tif 000012